(57)【特許請求の範囲】
【請求項１】
穀稈を刈取る前処理部と、該前処理部で刈取った穀稈を脱穀する扱室と、該扱室に回転自在に内装される扱胴と、を備え、
前記扱胴は、その先端部にラセン羽根が巻回されると共に、その周囲が覆われて掻き込み部を形成してなる、汎用型コンバインにおいて、
前記掻き込み部の周囲を覆い、前記前処理部で刈取った穀稈を前記扱室に案内する扱室入口板と、
上下方向に開閉自在に設けられると共に、前記扱室及び前記扱室入口板の側方を覆うサイドカバーと、
前記扱室入口板に形成された掃除口に開閉自在に設けられる掃除蓋と、を備え、
前記掃除蓋には、前記掃除口と同一の形状の板が固着されてなる、
ことを特徴とする汎用型コンバイン。
【請求項２】
前記扱室入口板は、前記掃除口が形成される側面部と、前記扱胴の搬送方向に向かって立ち上がる立ち上がり面と、を有し、
前記掃除口は、前記立ち上がり面に干渉しないように、略台形状に形成される、
請求項１に記載の汎用型コンバイン。
【請求項３】
前記側面部は、前記ラセン羽根に沿って形成される複数の平面から形成され、
前記掃除口は、前記複数の平面のうちの一つに形成される、
請求項２に記載の汎用型コンバイン。
【発明の詳細な説明】
【技術分野】
【０００１】
本発明は、刈取った穀稈を脱穀する扱室を備えたコンバインに係り、詳しくは、扱胴の先端部を囲う扱室入口部を有する汎用型コンバインに関する。
【背景技術】
【０００２】
一般に、コンバインは、穀稈を脱穀する扱室を備えており、扱室には、回転しながら穀稈を脱穀する扱胴が内装されている。そして、前処理部で刈取られた穀稈は、扱室に搬送されて扱胴で脱穀された後に、穀粒とワラ屑等とに選別されながら刈取り作業が行われる。
【０００３】
上記のコンバインにあっては、例えば、扱室内における詰まりの除去や、メンテナンスのために扱室内を清掃する必要がある。特に汎用型コンバインにあっては、自脱型コンバインと比べて、稲、麦及び大豆等、様々な穀稈の刈取り作業を行うため、異なる種類の穀稈が混在するのを避けるためにも、異なる穀稈の収穫前には扱室内の掃除作業を行う必要がある。
【０００４】
従来から、作業者が扱室内の清掃作業を行う際、清掃作業を容易にするために扱室の側板を開閉させるコンバイン（例えば、特許文献１参照）や、扱室の天板を開閉させるコンバイン（例えば、特許文献２参照）が案出されている。
【先行技術文献】
【特許文献】
【０００５】
【特許文献１】特開平８−７０６８０号公報
【特許文献２】特開平９−１０３１７４号公報
【発明の概要】
【発明が解決しようとする課題】
【０００６】
しかし、上記特許文献１及び特許文献２記載のコンバインにあっては、扱室の側板及び天板を開くことで扱胴の本体部を容易に清掃することができるが、汎用型コンバインにおける扱胴の先端部は、ラセン羽根が巻回されると共に、その周囲が覆われて掻き込み部を構成しており、該掻き込み部は、扱室の側板及び天板に覆われているため、清掃作業は困難である。このため、例えば、作業者が異なる種類の穀稈の刈取り作業を行うために扱室を清掃しても、扱胴の先端部に前回に刈取った穀稈を除去しきれず残ってしまう虞があり、かかる状態で作業を行った場合には、新たに刈取った穀稈に除去できなかった穀稈等が混入してしまう虞がある。
【０００７】
そこで本発明は、掻き込み部の側方を覆う扱室入口板に掃除口を掃除蓋で開閉自在に設け、もって上記課題を解決した汎用型コンバインを提供することを目的とする。
【課題を解決するための手段】
【０００８】
本発明は、穀稈を刈取る前処理部（５）と、該前処理部（５）で刈取った穀稈を脱穀する扱室（２５）と、該扱室（２５）に回転自在に内装される扱胴（２６）と、を備え、
前記扱胴（２６）は、その先端部にラセン羽根（２４）が巻回されると共に、その周囲が覆われて掻き込み部（２８）を形成してなる、汎用型コンバイン（１）において、
前記掻き込み部（２８）の周囲を覆い、前記前処理部（５）で刈取った穀稈を前記扱室（２５）に案内する扱室入口板（５０）と、
上下方向に開閉自在に設けられると共に、前記扱室（２５）及び前記扱室入口板（５０）の側方を覆うサイドカバー（４７）と、
前記扱室入口板（５０）に形成された掃除口（５１）に開閉自在に設けられる掃除蓋（５２）と、を備え、
前記掃除蓋（５２）には、前記掃除口（５１）と同一の形状の板（５３）が固着されてなる、
ことを特徴とする。
【０００９】
また、前記扱室入口板（５０）は、前記掃除口（５１）が形成される側面部と、前記扱胴（２６）の搬送方向に向かって立ち上がる立ち上がり面と、を有し、
前記掃除口（５１）は、前記立ち上がり面に干渉しないように、略台形状に形成される。
また、前記側面部は、前記ラセン羽根（２４）に沿って形成される複数の平面から形成され、
前記掃除口（５１）は、前記複数の平面のうちの一つに形成される。
【００１０】
なお、上記カッコ内の符号は、図面と対照するためのものであるが、これにより特許請求の範囲の記載に何等影響を及ぼすものではない。
【発明の効果】
【００１１】
本発明によると、ラセン羽根が巻回された扱胴の掻き込み部の側方を覆う扱室入口板に掃除蓋で開閉自在な掃除口を設けたので、扱室を清掃する際、容易に掻き込み部を清掃することができ、また、刈取り作業中に、刈取った穀稈が掻き込み部に詰まっても容易に詰まりを除去することができる。
また、扱室入口板は、扱室の側方を覆う開閉自在なサイドカバーに覆われてサイドカバーを開くと掃除蓋が露出するので、容易に掃除蓋を開閉することができ、扱室の清掃作業の作業効率を向上させることができる。
【図面の簡単な説明】
【００１３】
【図１】本実施の形態に係る汎用型コンバインの平面図。
【図２】その左側側面図。
【図３】汎用型コンバインのサイドカバーを開いた状態を示す側面図。
【図４】掃除口が掃除蓋で塞がれた状態を示す拡大側面図。
【図５】掃除口が開放された状態を示す拡大側面図。
【図６】扱胴及び扱室入口板を示す斜視図。
【発明を実施するための形態】
【００１４】
以下、本発明の実施の形態に係る汎用型コンバインについて図面に沿って説明する。本実施の形態に係る汎用型コンバイン１は、左右一対の走行装置であるクローラ２に支持された機体３を有している（図２参照）。該機体３の前方には、図１及び図２に示すように、穀稈を刈取る前処理部５が昇降自在に設けられており、該前処理部５の後方には、汎用型コンバイン１を操作するための運転操作部６が設けられている。運転操作部６の後方には、前処理部５で刈取った穀稈を脱穀して選別する脱穀装置７が設けられており、該脱穀装置７の隣には、脱穀した穀粒を貯蔵するグレンタンク９が設けられている。該グレンタンク９の上方には、グレンタンク９内の穀粒を排出する排出オーガ１０が設けられており、脱穀装置７の後方には、脱穀処理された排稈を細断する後処理装置１１が設けられている。
【００１５】
前処理部５は、刈取作物と未刈取作物とに分けるデバイダ１２を前方に有しており、該デバイダ１２の上方には、複数のタインが取付けられた掻き込みリール１３が設けられている。該掻き込みリール１３の後方には、穀稈を搬送するプラットホームオーガ１５が進行方向と直交する横向きの状態で配設されており、該プラットホームオーガ１５の後方には、プラットホームオーガ１５によって搬送された穀稈を脱穀装置７まで搬送する搬送フィーダ１６が設けられている。
【００１６】
運転操作部６には、運転者が着座するための運転席１７が設けられており、該運転席１７の前方には操作パネル１９が設けられている。該操作パネル１９の右側には、汎用型コンバイン１を操舵するための操作レバー２０が設けられており、該操作レバー２０の隣には、様々な計器類を表示するための表示パネル２１が設けられている。また、運転席１７の左側には、サイドパネル２２が設けられており、該サイドパネル２２には、主変速レバー２３が設けられている。
【００１７】
後処理装置であるスプレッダーチョッパー１１は、脱穀装置７の後部に取付けた際に、脱穀装置７に面する一面及び圃場面と面する一面が開放された略立方体形状のカバー体５４を有している。該カバー体５４内には、図示はしないが、脱穀装置７で脱穀処理された排稈を細断するロータリ細断爪が設けられており、該ロータリ細断爪は、カバー体５４内で回転自在に支持された回転軸に上下左右それぞれ対向するように複数の細断爪が取付けられて構成されている。
【００１８】
脱穀装置７は、扱室２５を有しており、該扱室２５には、図２に示すように、刈取られた穀稈を脱穀する扱胴２６が回転自在で内装されている。該扱胴２６には、ラセン形状した扱歯２７が巻回されており、扱胴２６の先端部には、搬送フィーダ１６によって扱室２５の入口まで搬送された穀稈を扱室２５内に掻き込むためのラセン羽根２４が巻回されている。この先端部は、扱室入口板５０等によりその周囲が覆われて掻き込み部２８が形成されている（図６参照）。
【００１９】
掻き込み部２８の側方を覆う扱室入口板５０には、作業者が掻き込み部２８の掃除や、掻き込み部２８での詰まりの除去を行うための略矩形形状に形成された掃除口５１が形成されている。そして、該掃除口５１を覆うように掃除口５１と同一の形状に形成された掃除蓋５２が扱室入口板５０に取付けられている（図４及び図５参照）。
【００２０】
該掃除蓋５２は、取付部材であるノブボルト５５によって扱室入口板５０に着脱自在で構成されており、該掃除蓋５２を扱室入口板５０に着脱することで掃除口５１は開閉自在に設けられている。また、掃除蓋５２の内側（掃除蓋５２を扱室入口板５０に取付けた際、掃除口５１に面する側の面）には、掃除蓋５２を掃除口５１に取付けた際、掃除口５１と扱室入口板５０との段差を無くすために掃除口５１と同一の形状の板５３が溶着されており、掃除蓋５２の左右両端部は、掃除蓋５２の強度を上げるために断面コ字形状に折り曲げ加工されている（図６参照）。
【００２１】
また、上記扱胴２６は、楕円形状に形成された受網２９に覆われている（図５参照）。該受網２９の下方には、唐箕ファン３０や揺動移動板３１、チャフシーブ３２、ラック３３、ストローラック３５、及びグレンシーブ３６等で構成される揺動選別体３７等を内装する選別室３９が設けられており、該選別室３９には、一番ラセン４０及び二番ラセン４１が進行方向に直交する横向きにそれぞれ配設されている。脱穀装置７は、主に、この扱室２５及び選別室３９から構成されている。
【００２２】
脱穀装置７は、カバー体で覆われており、扱室２５の上方は天板４５で覆われている。扱室２５の後部はリヤカバー４６で覆われており、扱室入口板５０を含む扱室２５の左側側方は、略矩形形状したサイドカバー４７で覆われている。該サイドカバー４７の上端部には、ヒンジ部４８が設けられており、サイドカバー４７は、該ヒンジ部４８によって回動自在に設けられていると共に、扱室２５の左側側方はサイドカバー４７によって開閉自在に設けられている。また、サイドカバー４７には、図３に示すように、サイドカバー４７を上方（開き方向）に付勢するガススプリング４９が取付けられており、サイドカバー４７の後方側端部には、方向指示器及び尾灯が一体形成されたテールランプアッシ５６が取付けられている。
【００２３】
次に、上記のように構成された汎用型コンバイン１の動作について説明する。作業者は、汎用型コンバイン１を圃場まで移動させて、作業開始位置から刈取り作業を開始する。刈取り作業は、掻き込みリール１３を回転させながら行われる。掻き込みリール１３は、回転しながら穀稈を引き起こし、引き起こした穀稈を刈刃で刈取る。刈取られた穀稈は、プラットホームオーガ１５から搬送フィーダ１６に搬送された後、搬送フィーダ１６によって扱室２５に搬送される。扱室２５に入口まで搬送された穀稈は、掻き込み部２８によって扱室２５の内へ掻き込まれる。扱室２５内に掻き込まれた穀稈は、回転する扱胴２６の扱歯２７によって籾等が扱ぎ落され、扱ぎ落された籾等は受網２９を通過して揺動選別体３７に落下する。
【００２４】
揺動選別体３７に落下した籾などの穀粒は、揺動選別体３７による揺動選別及び唐箕ファン３０による風選別による選別によって、一番物と二番物とにそれぞれ選別される。ここで一番物とは、選別処理された穀粒であり、二番物とは、選別不十分でワラ屑や穂切れ粒などの夾雑物と穀粒とが混合した混合物である。一番物は、一番ラセン４０から一番揚穀装置（不図示）に搬送された後、該一番揚穀装置によってグレンタンク９まで搬送され、二番物は、二番ラセン４１から二番還元装置（不図示）に搬送された後、該二番還元装置によって二番還元ラセン（不図示）に搬送される。二番還元ラセンに搬送された二番物は、再選別を行うため、二番還元ラセンによって再び扱室２５に還元される。
【００２５】
脱穀装置７で脱穀処理された排稈等は、排塵口（不図示）からスプレッダーチョッパー１１に搬送され、搬送された排稈等は、回転するロータリ細断爪によって細かく細断されて排出口から圃場へと排出される。
【００２６】
異なる種類の穀稈の刈取り作業を行う際、作業者は、刈取り作業終了後又は刈取り作業開始前に異種の穀粒が混在するのを防ぐため、脱穀装置７内を清掃する。そして、扱室２５内の清掃は、サイドカバー４７を開放して行う。サイドカバー４７を開くと、図３及び図４に示すように、受網２９、扱室入口板５０及び掃除蓋５２が露出する。作業者は、受網２９を取外して扱室２５内の清掃を行う。またこの際、掃除蓋５２を取外して、掃除口５１から掻き込み部２８の掃除も行われる。
【００２７】
扱室２５内の清掃終了後、作業者は、再び掃除蓋５２を扱室入口板５０に取付けて掃除口５１を塞ぎ、取外した受網２９を取付けた後サイドカバー４７を閉じて清掃作業を終了する。
【００２８】
また、刈取り作業中に、穀稈が扱室２５の入口付近（掻き込み部２８付近）に詰まった場合も作業者は、清掃作業時と同様にサイドカバー４７を開いて、掃除蓋５２を扱室入口板から取外し、掃除口５１から詰まった穀稈を除去する。
【００２９】
上述のように、穀稈を掻き込むラセン羽根２４が巻回された扱胴の掻き込み部２８の側方を覆う扱室入口板５０に、脱着自在な掃除蓋５２で、開閉自在な掃除口５１を設けたので、扱室２５を清掃する際、作業者は、掃除蓋５２を取外して掃除口５１から容易に掻き込み部２８の清掃を行うことができ、前回刈取り作業を行った穀稈とは異なる種類の穀稈の刈取り作業を行う際に、前回刈取った穀稈の穀粒が混入するのを防ぐことができる。また、刈取り作業中に、扱室２５内で刈取った穀稈が掻き込み部２８付近に詰まっても掃除口５１から容易に詰まりを除去することができる。
【００３０】
また、掃除口５１が形成された扱室入口板５０は、扱室２５の側方を覆う開閉自在なサイドカバー４７に覆われて、サイドカバー４７を開くと掃除蓋５２が露出するので、容易に掃除蓋５２を開閉することができ、扱室２５の清掃作業の作業効率を向上させることができる。
【００３１】
また、掃除蓋５２の内側に、掃除蓋５２を掃除口５１に取付けた際、掃除口５１と扱室入口板５０との段差を無くすための掃除口５１と同一の形状の板５３を溶着したので、扱胴２６による脱穀作業の際に、扱胴２６と共に扱室２５内を回る処理物が掃除口５１の縁に引っかかることによる処理物（穀粒）の損傷を防ぐことができる。
【００３２】
また、掃除蓋５２の左右両端部を掃除蓋５２の強度上げるために断面コ字形状に折り曲げ加工したので、掃除蓋５２を扱室入口板５０に取付けた際の脱穀負荷による掃除蓋５２の変形を防ぐことができる。これにより、掃除口５１を大きくすることができるので、清掃作業や穀稈の詰まりの除去作業などの作業性の向上を図ることができる。
【００３３】
なお、本実施の形態では、ノブボルト５５によって掃除蓋５２を扱室入口板５０に着脱自在に構成したが、これに限らず、掃除蓋５２は、他の手段により掃除口５１を開閉自在に構成してなる。例えば、扱室入口板５０を覆うサイドカバー４７の内側に掃除蓋５２を一体に設け、サイドカバー４７を開閉すると同時にサイドカバー４７に設けられた掃除蓋５２によって掃除口５１が開閉するという構成であってよい。
【符号の説明】
【００３４】
１    汎用型コンバイン
５    前処理部
２４  ラセン羽根
２５  扱室
２６  扱胴
２８  掻き込み部
４７  サイドカバー
５０  扱室入口板
５１  掃除口
５２  掃除蓋
【図１】
0005844602.tif 000002
【図２】
0005844602.tif 000003
【図３】
0005844602.tif 000004
【図４】
0005844602.tif 000005
【図５】
0005844602.tif 000006
【図６】
0005844602.tif 000007